(57)【要約】      （修正有）【課題】壁面等の障害物までの距離を十分確保できない場所であっても、目地カバーや躯体が損傷することなく地震による揺れ動きを吸収することができる屋上用目地カバー装置を提供する。【解決手段】屋上用目地カバー装置１であって、中央目地カバー５と、一方の躯体３と他方の躯体４にそれぞれ設けられた水切りカバー６と、左右一対の中間目地カバー７と、目地カバー支持手段８と、中央目地カバー及び中間目地カバーに設けられた防水手段とで構成され、中間目地カバーは中央目地カバーに段差状又は階段状となるように設けられ、目地カバー支持手段は一方の躯体に一端部が取り付けられ、他方の躯体に他端部が取り付けられた複数個の枢支部１３を有するリンク部材１４と、リンク部材の枢支部に設けられた受け部材１５と、複数個の受け部材にそれぞれ支持され、かつ、その上端部付近が中央目地カバー又は中間目地カバーを支持する支持部材１６とで構成される。【選択図】図１
2020111929.tif 000002
【特許請求の範囲】
【請求項１】
一方の躯体と他方の躯体間の目地部をカバーする屋上用目地カバー装置であって、目地部の略中央部に位置するように設けられた中央目地カバーと、前記一方の躯体と前記他方の躯体にそれぞれ設けられた水切りカバーと、前記中央目地カバーと前記水切りカバーの間にそれぞれ設けられた少なくとも左右一対の中間目地カバーと、前記中央目地カバー及び前記中間目地カバーを支持する目地カバー支持手段と、前記中央目地カバー及び中間目地カバーに設けられた防水手段とで構成され、
前記中間目地カバーは、前記中央目地カバーに段差状又は階段状となるように設けられており、
前記目地カバー支持手段は、前記一方の躯体に一端部が取り付けられているとともに、前記他方の躯体に他端部が取り付けられた複数個の枢支部を有するリンク部材と、該リンク部材の前記枢支部に設けられた複数個の受け部材と、該複数個の受け部材にそれぞれ支持され、かつ、その上端部付近が前記中央目地カバー又は中間目地カバーを支持する支持部材とで構成される屋上用目地カバー装置。
【請求項２】
前記中央目地カバーは、その上面が正面視略山型状に形成されていることを特徴とする請求項１に記載の屋上用目地カバー装置。
【請求項３】
前記防水手段は、中央目地カバーの底面及び中間目地カバーの底面にそれぞれ設けられた防水シートと、この防水シートにそれぞれ内包されるおもりとで構成されていることを特徴とする請求項１又は請求項２のいずれかに記載の屋上用目地カバー装置。
【請求項４】
前記水切りカバーは、一方の躯体側の端部に下方へ突出する誘導側壁を備えていることを特徴とする請求項１乃至請求項３のいずれかに記載の屋上用目地カバー装置。
【請求項５】
前記中央目地カバー及び中間目地カバーの底面側に天井板が設けられ、該天井板と中間目地カバー又は水切りカバーとの間の隙間を塞ぐように防水カバーが設けられていることを特徴とする請求項１乃至請求項４のいずれかに記載の屋上用目地カバー装置。
【発明の詳細な説明】
【技術分野】
【０００１】
本発明は目地部を介して設けられた左右（一方と他方）の躯体の間の目地部を塞ぐ屋上用目地カバー装置に関する。
【背景技術】
【０００２】
従来の屋上用目地カバー装置としては、「目地部側が上方へ突出するように、少なくとも一方の建物のパラペットの上部に取付けられたほぼクランク状の水切りカバーと、この水切りカバーの上部を左右方向に移動可能で、前記目地部を覆うように他方の建物のパラペットあるいは他方の建物の外壁面に取付けられた側板を有する山形状あるいはクランク状の目地カバーと、この目地カバーを前記水切りカバーに左右方向に移動可能に支持する支持部材と、前記水切りカバーと前記目地カバーの側板間に所定間隔で常時所定の引張り力が付与された状態で張渡された防水シート支持ワイヤーを用いた複数個の防水シート支持装置と、一端が前記水切りカバーの上部寄りの部位に固定され、他端部が地震の左右方向の揺れ動きを吸収できる遊びを持って、前記目地カバーの側板の上部寄りの部位に固定された、前記複数個の防水シート支持装置の防水シート支持ワイヤーに支持された防水シートとからなることを特徴とする屋上用目地カバー装置」が知られている（特許文献１）。
【０００３】
しかしながら、このような屋上用目地カバー装置では、目地部側のパラペットの近くに壁面等が形成されている場合等には、地震によって目地部が狭くなるように揺れ動き目地カバーが躯体側へ突出すると、目地カバーが外壁等に衝突し、躯体や目地カバーが損傷してしまうおそれがあった。
【先行技術文献】
【特許文献】
【０００４】
【特許文献１】特許第５２８０２７９号公報
【発明の概要】
【発明が解決しようとする課題】
【０００５】
本発明は以上のような従来の欠点に鑑み、壁面等の障害物までの距離を十分確保できない場所であっても、目地カバーや躯体が損傷することなく地震による揺れ動きを吸収することができる屋上用目地カバー装置を提供することを目的としている。
【０００６】
本発明の前記ならびにそのほかの目的と新規な特徴は次の説明を添付図面と照らし合わせて読むと、より完全に明らかになるであろう。
ただし、図面はもっぱら解説のためのものであって、本発明の技術的範囲を限定するものではない。
【課題を解決するための手段】
【０００７】
上記目的を達成するために、本発明の請求項１に記載の屋上用目地カバー装置は、一方の躯体と他方の躯体間の目地部をカバーする屋上用目地カバー装置であって、目地部の略中央部に位置するように設けられた中央目地カバーと、前記一方の躯体と前記他方の躯体にそれぞれ設けられた水切りカバーと、前記中央目地カバーと前記水切りカバーの間にそれぞれ設けられた少なくとも左右一対の中間目地カバーと、前記中央目地カバー及び前記中間目地カバーを支持する目地カバー支持手段と、前記中央目地カバー及び中間目地カバーに設けられた防水手段とで構成され、前記中間目地カバーは、前記中央目地カバーに段差状又は階段状となるように設けられており、前記目地カバー支持手段は、前記一方の躯体に一端部が取り付けられているとともに、前記他方の躯体に他端部が取り付けられた複数個の枢支部を有するリンク部材と、該リンク部材の枢支部に設けられた複数個の受け部材と、該複数個の受け部材にそれぞれ支持され、かつ、その上端部付近が前記中央目地カバー又は中間目地カバーを支持する支持部材とで構成されることを特徴とする。
【０００８】
ここで、「段差状」又は「階段状」とは、一段のみならず複数段も含まれるものである。
【０００９】
請求項２に記載された屋上用目地カバー装置の前記中央目地カバーは、その上面が正面視略山型状に形成されていることを特徴とする。
【００１０】
請求項３に記載された屋上用目地カバー装置の前記防水手段は、中央目地カバーの底面及び中間目地カバーの底面にそれぞれ設けられた防水シートと、この防水シートにそれぞれ内包されるおもりとで構成されていることを特徴とする。
【００１１】
請求項４に記載された屋上用目地カバー装置の前記水切りカバーは、一方の躯体側の端部に下方へ突出する誘導側壁を備えていることを特徴とする。
【００１２】
請求項５に記載された屋上用目地カバー装置の前記中央目地カバー及び中間目地カバーの底面側に天井板が設けられ、該天井板と中間目地カバー又は水切りカバーとの間に防水カバーがそれぞれ設けられていることを特徴とする。
【発明の効果】
【００１３】
以上の説明から明らかなように、本発明にあっては次に列挙する効果が得られる。
（１）請求項１に記載の発明においては、中央目地カバー及び少なくとも１つ以上の中央目地カバーを備えているので、地震による揺れ動き幅が大きくてもその揺れ動き幅を複数個の目地カバーで吸収することができる。
【００１４】
したがって、中央目地カバーや中間目地カバーが躯体側へ突出することを防止でき、壁面等の障害物に衝突して躯体や目地カバーを損傷することを防止できる。
（２）左右の躯体の揺れ動き幅が大きい場合であっても、目地カバーが躯体側へ突出することを防止できるので、屋上にいる人等に目地カバーが衝突することを確実に防止することができる。
（３）請求項２に記載の発明においても、前記（１）〜（２）と同様な効果が得られると共に、目地カバーを正面視略山型に形成することにより雨水等を効率よく流すことができる。
（４）請求項３乃至請求項５に記載の各発明においても、前記（１）〜（３）と同様な効果が得られる。
【図面の簡単な説明】
【００１５】
図１乃至図８は本発明の第１の実施形態を示す説明図である。
図９乃至図１２は本発明の第２の実施形態を示す説明図である。
図１３及び図１４は本発明の第３の実施形態を示す説明図である。
図１５及び図１６は本発明の第４の実施形態を示す説明図である。
【図１】第１の実施形態を示す屋上用目地カバー装置の平面図（通常時）。
【図２】図１の２−２線に沿う断面図。
【図３】水切りカバーの説明図。
【図４】中央目地カバーの説明図。
【図５】中間目地カバーの説明図。
【図６】中央目地カバー及び中央目地カバーが目地カバー支持手段に支持されている状態を示す説明図。
【図７】地震で目地部が狭くなった正面視側からの動作説明図。
【図８】地震で目地部が広くなった正面視側からの動作説明図。
【図９】第２の実施形態を示す屋上用目地カバー装置の平面図。
【図１０】図９の１０−１０線に沿う断面図。
【図１１】地震で目地部が狭くなった正面視側からの動作説明図。
【図１２】地震で目地部が広くなった正面視側からの動作説明図。
【図１３】第３の実施形態を示す屋上用目地カバー装置の平面図。
【図１４】図１３の１４−１４線に沿う断面図。
【図１５】第４の実施形態を示す屋上用目地カバー装置の平面図。
【図１６】図１５の１６−１６線に沿う断面図。
【発明を実施するための形態】
【００１６】
以下、図面に示す本発明を実施するための形態により、本発明を詳細に説明する。
図１乃至図８に示す本発明を実施するための第１の形態において、１は目地部２を介して設けられた一方の躯体３及び他方の躯体４間に設置された屋上用目地カバー装置である。
なお、左右方向とは図１（平面視）における左右方向であり、前後方向とは図１における上下方向、上下方向とは図２における上下方向をいう。
【００１７】
また、本発明において躯体とは、建物、道路、スラブ、エレベーターシャフト等の目地プレートを設置可能な建造物をいい、出入口とはドアや扉の設けられた出入口だけではなく、人や車両等が通行できる通路も含むものである。
【００１８】
本実施形態の屋上用目地カバー装置１は、図１及び図２に示すように、目地部２の略中央部に位置するように設けられた中央目地カバー５と、前記一方の躯体３と前記他方の躯体４のパラペット３ａ、４ａにそれぞれ設けられた水切りカバー６と、前記中央目地カバー５と前記水切りカバー６の間にそれぞれ２つ設けられた中間目地カバー７と、前記中央目地カバー５及び前記中間目地カバー７を支持する目地カバー支持手段８と、前記中央目地カバー５及び中間目地カバー７に設けられた防水手段９とで構成されている。
【００１９】
水切りカバー６は、一方の躯体３の目地部２側の上面、本実施形態においては一方の躯体３のパラペット３ａ、４ａの上面にそれぞれ固定されるもので、図３に示すように、正面視において略クランク形状で、上面６ｃが傾斜面状に形成されている。この水切りカバー６の目地部２の反対側の端部は、パラペット３ａ、４ａの内側壁面に当接するように、下方へ突出する誘導側壁６ａを備えている。
【００２０】
また、目地部２側の端部には、略垂直に立ち上がる側壁６ｂを備えている。
この水切りカバー６は、パラペット３ａ、４ａの上部に複数本のアンカーボルト等で、所定間隔を隔てて複数個設けられた水切りカバー取付具１０を介して一方の躯体３及び他方の躯体４のパラペット３ａ、４ａの上面に固定される。
【００２１】
中央目地カバー５は、その上面５ａが正面視略山型状となるように形成された板状の部材で、この中央目地カバー５が最も高い位置に位置するように支持される。この中央目地カバー５の左右端部は、下方にやや突出する側壁５ｂが形成されており、この側壁５ｂには中間目地カバー７の上面に当接するようにゴム製の防水カバー１１が固定されている。また、この中央目地カバー５の左右端部付近の底面には、防水手段９が設けられている。
中央目地カバー５の略中央部は、後述する目地カバー支持手段８によって支持されている。
【００２２】
中間目地カバー７は、本実施形態においては左右に２つずつ（左右二対）設けられており、正面視略クランク形状で、一端部側には略垂直に立ち上がる側壁７ａを有し、他端部側には略垂直に下方へ折れ曲がる側壁７ｂを備えており、その上面７ｃは傾斜面状に形成されている。この中間目地カバー７はその一端部付近が後述する目地カバー支持手段８によって支持されている。
【００２３】
この中間目地カバー７のうち上部側に位置する左右一対の中間目地カバー７（説明の便宜上、以下「第１の中間目地カバー７Ａ」という）は、その一端部側は前記中央目地カバー５の下方に位置し、中央目地カバー５の左右端部が第１の中間目地カバー７Ａの略中央部に位置するように取り付けられている。
【００２４】
この第１の中間目地カバー７Ａの側壁７ｂには、第１の中間目地カバー７Ａの下方に位置する左右一対の中間目地カバー７（説明の便宜上、以下「第２の中間目地カバー７Ｂ」という）の上面７ｃに当接するようにゴム製の防水カバー１１が固定され、他端部付近には、防水手段９が設けられている。
【００２５】
第２の中間目地カバー７Ｂは前記第１の中間目地カバー７Ａと水切りカバー６の間に位置するように設けられており、中央目地カバー５、第１の中間目地カバー７Ａ、第２の中間目地カバー７Ｂ、水切りカバー６は、図６に示すように、全体として中央目地カバー５を最上部とする略階段状で、その一部が隣り合う中央目地カバー５、中間目地カバー７又は水切りカバー６と相互に重なり合い、かつ、目地部２を塞ぐように設けられている。
なお、このような中間目地カバー７を左右三対以上設けてもよい。
【００２６】
ところで、中央目地カバー５及び中間目地カバー７の前後方向の端部を回転可能に塞ぐ端部カバー板を設けてもよい。端部カバー板については、公知の端部カバー板であれば、どのようなものを用いてもよい。
【００２７】
中央目地カバー５及び中間目地カバー７は目地カバー支持手段８によって支持されており、この目地カバー支持手段８は、一方の躯体３に一端部がヒンジ部材１２を介して回転可能に取り付けられ、他方の躯体４に他端部がヒンジ部材１２を介して回転可能に取り付けられた複数個の枢支部１３を有するリンク部材１４と、該リンク部材１４の枢支部１３に設けられた複数個のパイプ状の受け部材１５と、この複数個の受け部材１５にそれぞれ支持され、その上端部付近が前記中央目地カバー又は中間目地カバーを支持するバー状の支持部材１６とで構成されている。
【００２８】
このリンク部材１４は、前後方向に複数個設けられており、本実施形態においては３つのリンク部材１４が設けられている。リンク部材１４は、全体として正面視略逆三角形状にバーが枢支ピン１７により枢支状態で接続されており、所定の枢支部１３には円筒状の受け部材１５が取り付けられている。
【００２９】
ところで、このリンク部材１４は、その両端部がヒンジ部材１２で取り付けられているとともに、このヒンジ部材１２には枢支ピン１７によって連結しているため、リンク部材１４は前記ヒンジ部材１２のヒンジ部を支点に前後方向に回動可能であり、ヒンジ部材１２と連結されている枢支ピン１７を支点に上下方向に回動可能な状態で取り付けられている。
【００３０】
受け部材１５は、円筒形状の部材で、この受け部材１５の透孔に支持部材１６が挿入される。支持部材１６には、この受け部材１５の上面と係合するようにフランジ状のストッパー１８が形成されている。
【００３１】
なお、本実施形態においては、円筒形状の受け部材１５を用いているが、角パイプ状の受け部材１５を用いてもよい。また、透孔の形状も円形状でもよいし角形状でもよい。
ところで、本実施形態においては、受け部材１５と略同軸となるように、受け部材１５の下方の枢支部１３に円筒形状（受け部材１５と略同形状）のガイド部材１５ａを設けている。支持部材は、受け部材１５及びガイド部材１５ａを貫通するとともに、受け部材１５の上面によって支持される。
【００３２】
支持部材１６は、円柱状に形成されたバー部材であり、その上端部付近が中央目地カバー５又は中間目地カバー７に取り付けられる。なお、本実施形態においては、支持部材１６に直接中央目地カバー５や中間目地カバー７を固定せず、中央目地カバー５や中間目地カバー７の底面に当接する取付具１６ａを介して支持している。
【００３３】
この支持部材１６には、前述したようなフランジ状のストッパー１８が形成されており、このストッパー１８が受け部材１５の上面に当接し、中央目地カバー５や中間目地カバー７を所定の位置に位置させる。
【００３４】
ところで、本実施形態においては一方の躯体３及び他方の躯体４のパラペット３ａ、４ａに直接水切りカバー６を固定して設けているが、例えば、リンク部材１４の左右端部に位置する枢支部に受け部材１５を設けるとともに、この受け部材１５に支持される支持部材１６を用いて水切りカバー６の目地部側の端部付近を支持し、一方の躯体３及び他方の躯体４のパラペット３ａ、４ａの上面に位置するように設けてもよい。このように取り付けた場合、水切りカバー６は、一方の躯体３又は他方の躯体４に、リンク部材１４、受け部材１５及び支持部材６を介して設けられているものであり、本発明においては、一方の躯体３又は他方の躯体４に水切りカバー６を設けた態様に含むものである。
【００３５】
防水手段９は、本実施形態においては、中央目地カバー５の左右端部付近の底面及び中間目地カバー７の側壁７ｂ側の底面に設けられた防水シート１９と、この防水シート１９にそれぞれ内包されるおもり２０とで構成されており、おもり２０によって防水シート１９の下端部が中間目地カバー７の上面７ｃ又は水切りカバー６の上面６ｃに当接して雨水等が内部へ侵入することを防止できるものである。
【００３６】
この防水シート１９は、前記おもり２０によって鉛直下方へ垂れ下がり、中間目地カバー７の上面７ｃ又は水切りカバー６の上面６ｃに接触し、雨水等がこの防水シート１９よりも目地部２側へ侵入することを防止している。
【００３７】
なお、ゴム製の防水カバー１１を設けているため、この防水カバー１１で雨水等が侵入することを防止できるが、風が強く防水カバー１１の内側に雨水が侵入してしまう場合には、この防水手段９によって雨水等が防水シート１９よりも目地部２側へ侵入することを防止している。
【００３８】
ところで、図示しない端部カバー板の下方に位置する目地部２側面を塞ぐ壁面用目地装置（図示せず）を設けてもよい。この壁面用目地装置は、公知の壁面用目地装置であれば、どのようなものを用いてもよい。
【００３９】
地震で躯体３、４が左右方向に揺れ動き目地部２が狭くなると、図６に示すように、中央目地カバー５、第１、第２の中間目地カバー７及び水切りカバー６の重なり幅がそれぞれ大きくなるように移動し、地震による揺れ動きを吸収する。
【００４０】
地震で躯体３、４が左右方向に揺れ動き目地部２が広くなると、図７に示すように、中央目地カバー５、第１、第２の中間目地カバー７及び水切りカバー６の重なり幅がそれぞれ小さくなるように移動し、地震による揺れ動きを吸収する。
【００４１】
［発明を実施するための異なる形態］
次に、図９乃至図１６に示す本発明を実施するための異なる形態につき説明する。なお、これらの本発明を実施するための異なる形態の説明に当って、前記本発明を実施するための第１の形態と同一構成部分には同一符号を付して重複する説明を省略する。
【００４２】
図９乃至図１２に示す本発明を実施するための第２の形態において、前記本発明を実施するための第１の形態と主に異なる点は、中間目地カバー７を左右一対のみ用いて中間目地カバー７を中央目地カバー５に段差状となるように設けて、中央目地カバー５、中間目地カバー７及び水切りカバー６が全体として階段状となるように構成するとともに、全体として正面視略逆台形状にバーが枢支ピン１７により枢支状態で接続されたリンク部材１４Ａを用いた目地カバー支持手段８Ａにした点で、このように構成した屋上用目地カバー装置１Ａにしても、前記本発明を実施するための第１の形態と同様の作用効果を得ることができる。
【００４３】
図１３乃及び図１４に示す本発明を実施するための第３の形態において、前記本発明を実施するための第１の形態と主に異なる点は、中央目地カバー５及び中間目地カバー７の底面側に天井板２１が設けられており、この天井板２１と下方の中間目地カバー７又は水切りカバー６との隙間を塞ぐように、ゴム製の防水カバー１１をそれぞれ設けた点で、このように構成した屋上用目地カバー装置１Ｂにしても、前記本発明を実施するための第１の形態と同様の作用効果を得ることができる。
【００４４】
この天井板２１は、本実施形態においては、取付具１６ａの底面にビスや溶接等によって固定されており、中央目地カバー５又は中間目地カバー７の底面の略全体を覆うように取り付けられている。
【００４５】
また、防水カバー１１は、この天井板２１と下方の中間目地カバー７又は水切りカバー６との隙間を塞ぐように設けられており、本実施形態においては、水切りカバーの側壁６ｂ及び中間目地カバー７の側壁７ａにビス等によって固定されている。
【００４６】
図１５乃及び図１６に示す本発明を実施するための第４の形態において、前記本発明を実施するための第１の形態と主に異なる点は、中央目地カバー５の側壁５ｂと第１の中間目地カバー７Ａの略垂直に立ち上がる側壁、第１の中間目地カバー７Ａの下方へ折れ曲がる側壁７ｂと第２の中間目地カバー７Ｂの略垂直に立ち上がる側壁７ａ、及び第２の中間目地カバー７Ｂの下方へ折れ曲がる側壁７ｂと水切りカバー６の略垂直に立ち上がる側壁６ｂとの間にそれぞれ設けられたゴム製の防水シート１９により防水手段９Ａを構成した点で、このように構成した屋上用目地カバー装置１Ｃにしても、前記本発明を実施するための第１の形態と同様の作用効果を得ることができる。
【００４７】
なお、本発明の実施形態においては、一方の躯体側の端部に下方へ突出する誘導側壁を備えている水切りカバーについて説明したが、このような誘導側壁を備えていなくてもよい。
【００４８】
また、おもりを内包する防水シートを１つの目地カバーに対して複数個取り付けてもよい。
【産業上の利用可能性】
【００４９】
本発明は屋上用目地カバー装置を製造する産業で利用される。
【符号の説明】
【００５０】
１、１Ａ、１Ｂ、１Ｃ：屋上用目地カバー装置、
２：目地部、                        ３：一方の躯体、
４：他方の躯体、                    ５：中央目地カバー、
６：水切りカバー、                  ７、７Ａ、７Ｂ：中間目地カバー、
８、８Ａ：目地カバー支持手段、      ９、９Ａ：防水手段、
１０：水切りカバー取付具、          １１：防水カバー、
１２：ヒンジ部材、                  １３：枢支部、
１４、１４Ａ：リンク部材、          １５：受け部材、
１６：支持部材、                    １７：枢支ピン、
１８：ストッパー、                  １９：防水シート、
２０：おもり、                      ２１：天井板。
【図１】
2020111929.tif 000003
【図２】
2020111929.tif 000004
【図３】
2020111929.tif 000005
【図４】
2020111929.tif 000006
【図５】
2020111929.tif 000007
【図６】
2020111929.tif 000008
【図７】
2020111929.tif 000009
【図８】
2020111929.tif 000010
【図９】
2020111929.tif 000011
【図１０】
2020111929.tif 000012
【図１１】
2020111929.tif 000013
【図１２】
2020111929.tif 000014
【図１３】
2020111929.tif 000015
【図１４】
2020111929.tif 000016
【図１５】
2020111929.tif 000017
【図１６】
2020111929.tif 000018